(57)【特許請求の範囲】
【請求項１】
一方の舗装版には一端が該舗装版の接合端面に開口する一方の孔を横設するとともに、この一方の孔に結合鉄筋を収め、他方の舗装版には一端が該舗装版の接合端面に開口する他方の孔を横設し、これら舗装版の結合端面間にパッキン材を嵌装すると共に、それら舗装版の接合端面を、前記一方及び他方の孔の開口部が一致するように合わせ、且つこれら一方及び他方の孔の開口部に前記パッキン材の挿通孔を合わせた後、前記結合鉄筋の他方側を前記他方の舗装版の孔内に挿入して互いに連結するコンクリート舗装版の接合端面間に前記結合鉄筋を介在させるコンクリート舗装版の結合工法において、前記結合鉄筋の一端側に引張部材の一端を粘着テープにより接着した後、この連結した引張部材の一端側と共に前記結合鉄筋を、前記一方の孔に収めると共に、前記一方の孔内において、前記引張部材を結合鉄筋の上部に配置し、前記引張部材の他端側を一方の前記舗装版の接合端面に沿わせて上部に引き出し、この引き出した前記引張部材の他端側を一方の前記舗装版の上面に沿わせた後、前記一方及び他方の孔の開口部と前記挿通孔が一致するように合わせ、この後、前記引張部材の他端側を引張って前記結合鉄筋を他方に孔に向って動かすことを特徴とするコンクリート舗装版の結合工法。
【発明の詳細な説明】
【技術分野】
【０００１】
本発明は、コンクリート舗装版の結合工法に関する。
【背景技術】
【０００２】
従来、この種のものとして、互いに連結する両コンクリート舗装版の結合端面間に連通され、かつ両端が前記コンクリート舗装版の表面側に開口させた弧状の連通孔を備え、該連通孔内に前記両コンクリート舗装版にまたがらせて弧状の連通棒を挿通するとともに、前記連通孔内に充填材を充填して前記連結棒を連通孔内に埋設固定するコンクリート舗装版の連結構造（例えば、特許文献１）が提案されている。
【０００３】
また、結合しようとするコンクリート舗装版の結合端面に気密性パッキングを嵌装し、かつコンクリート舗装版の端面に開口して各水平孔を設け、この水平孔の軸方向に結合鉄筋を収納すると共に、奥部にコンクリート舗装版の水平孔の開口部が一致するように形成し、前記開口部より圧縮空気を吹き込んで結合鉄筋を移動させた後、充填材を充填するコンクリート舗装版の結合方法（例えば、特許文献２）が提案されている。
【０００４】
上記特許文献１では、コンクリート舗装版に弧状の連通孔を形成しなければならず、また、連結棒自体も弧状に形成しなければならず、これら連通孔及び連結棒の形成などが簡単でない問題がある。
【０００５】
また、上記特許文献２では、圧縮空気により結合鉄筋を動かすものであるため、施工現場に空気圧縮機が必要となり、工事の設備が大掛かりになる問題がある。
【０００６】
このような問題を考慮して、互いに連結するコンクリート舗装版の接合端面間に連結鉄筋を介在させるコンクリート舗装版の結合工法において、一方の舗装版の接合端面にはコンクリート舗装版の表側面に開口させた長溝を形成し、他方の舗装版には他方の舗装版の接合端面には前記長溝に対向して連結孔を形成し、前記長孔に収納した磁性体からなる結合棒の一側を、前記長孔の上方から挿入した磁石によって吸着すると共に、前記磁石を他方のコンクリート舗装版側へ移動して前記結合棒に挿入する方法（例えば、特許文献３）が提案されている。
【特許文献１】特開昭５６−１６７００５号公報
【特許文献２】特開昭６１−２６１５０２号公報
【特許文献３】特公平６−２５４０４号公報
【発明の開示】
【発明が解決しようとする課題】
【０００７】
上記特許文献３の方法では、弧状の連結棒や空気圧縮機を用いる必要がなく、施工性の向上を図ることができる。
【０００８】
しかし、この方法でも、表側面に開口する長溝を舗装版の端面側に形成するため、他の部分に比べて長溝部分の強度が低下し、また、連結棒を吸着するために、磁石を備えた専用の治具を用いる必要がある。
【０００９】
そこで、本発明は、構造簡易にして、現場での施工性に優れたコンクリート舗装版の結合方法を提供することを目的とする。
【課題を解決するための手段】
【００１０】
請求項１の発明は、一方の舗装版には一端が該舗装版の接合端面に開口する一方の孔を横設するとともに、この一方の孔に結合鉄筋を収め、他方の舗装版には一端が該舗装版の接合端面に開口する他方の孔を横設し、これら舗装版の結合端面間にパッキン材を嵌装すると共に、それら舗装版の接合端面を、前記一方及び他方の孔の開口部が一致するように合わせ、且つこれら一方及び他方の孔の開口部に前記パッキン材の挿通孔を合わせた後、前記結合鉄筋の他方側を前記他方の舗装版の孔内に挿入して互いに連結するコンクリート舗装版の接合端面間に前記結合鉄筋を介在させるコンクリート舗装版の結合工法において、前記結合鉄筋の一端側に引張部材の一端を粘着テープにより接着した後、この連結した引張部材の一端側と共に前記結合鉄筋を、前記一方の孔に収めると共に、前記一方の孔内において、前記引張部材を結合鉄筋の上部に配置し、前記引張部材の他端側を一方の前記舗装版の接合端面に沿わせて上部に引き出し、この引き出した前記引張部材の他端側を一方の前記舗装版の上面に沿わせた後、前記一方及び他方の孔の開口部と前記挿通孔が一致するように合わせ、この後、前記引張部材の他端側を引張って前記結合鉄筋を他方に孔に向って動かす工法である。
【発明の効果】
【００１１】
請求項１の構成によれば、引張部材を連結した結合鉄筋を、一方の孔に収め、引張部材の他端は外部に引き出しておき、コンクリート舗装版の接合端面相互を突き合わせ、一方及び他方の孔を合わせた後、引張部材の他端を引張ると、結合鉄筋が他方の孔に向って動き、結合鉄筋を一方及び他方の孔に跨って配置することができる。
【発明を実施するための最良の形態】
【００１２】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規なコンクリート舗装版の結合方法を採用することにより、従来にないコンクリート舗装版の結合方法が得られ、そのコンクリート舗装版の結合方法について記述する。
【実施例１】
【００１３】
以下、本発明の実施例を添付図面を参照して説明する。図１〜図６は本発明の実施例１を示し、同図に示すように、プレキャストコンクリート製の舗装版１，２は、その結合端面３，４を突き合わせ状態で敷設される。
【００１４】
一方の舗装版１には一端が結合端面３に開口する水平孔５を横設し、この水平孔５内に、結合鉄筋６が摺動自在に遊嵌して収められる。この水平孔５の奥部には、舗装版１の外部側たる上面と連通する断面円形の充填材充填孔たる垂直孔７を設ける。
【００１５】
他方の舗装版２には一端が結合端面４に開口する水平孔８を横設する。この水平孔８は、外側に向って僅かに拡大するテーパー孔であり、結合端面４における開口は、前記水平孔４の結合端面３における開口より大きく形成され、また、水平孔８の結合端面４における開口の下端８Ｋは、水平孔５の結合端面４における開口の下端より低い位置に設定され、これにより結合鉄筋６が挿入し易くなっている。また、その水平孔８の奥部には、舗装版２の外部側たる上面と連通する断面円形の充填材充填孔たる垂直孔９を設ける。
【００１６】
そして、水平孔８の長さは、前記水平孔５の略半分であり、結合鉄筋６の略半分が水平孔８に収まり、結合鉄筋６の他端が水平孔８の奥部に当接する。
【００１７】
前記舗装版１，２の結合端面３，４間には、パッキン材１０が嵌装し、このパッキン材１０には、前記水平孔８に対応して、挿通孔１１が穿設されている。
【００１８】
前記結合鉄筋６の一端側には、引張部材たるビニールテープ１２を連結する。この連結には、接着手段たる粘着テープが用いられ、この粘着テープ１３としては、布製のテープに粘着面を設けた布製ガムテープなどが例示される。
【００１９】
尚、１４は前記垂直孔７，９から水平孔５，８に充填した充填材である。
【００２０】
次に、上記コンクリート舗装版１，２の結合方法について、説明する。硬質材料からなる結合鉄筋６の他端側に、粘着テープ１３により、ビニールテープ１２の他端を接着して連結する。そして、その結合鉄筋６を他端から水平孔５に挿入して収める。また、ビニールテープ１２の一端は舗装版１の上に引き出しておく。好ましくは、ビニールテープ１２の途中は、水平孔５上の結合端面３に沿わせ、さらに、舗装版１の上面に沿わせておく。この状態で、パッキン材１０を接合端面３，４間に挟んで、舗装版１，２を敷設し、ビニールテープ１２の一端は、外部である舗装版１，２の表面側の上に引き出しておく。
【００２１】
次に、ビニールテープ１２の一端側を外側に引っ張ると、接合鉄筋６が他方の舗装版２側に送られ、挿通孔１１から水平孔８内に挿入され、結合鉄筋６の一端が、水平孔８の奥に当ることにより止まる。この場合、結合鉄筋６が水平孔８の奥に当接する際に発する音により、これを確認できる。この後、さらにビニールテープ１２を強く引けば、粘着テープ１３からビニールテープ１２が外れ、ビニールテープ１２を抜き取ることができる。尚、ビニールテープ１２が舗装版１内に残っても問題はない。
【００２２】
この後、垂直孔７，９から充填材１４を充填し、水平孔５，８と結合鉄筋６との隙間及び垂直孔７，９を充填材１４により埋める。尚、充填材１４には硬化性を有するグラウト材などが用いられる。
【００２３】
このように本実施例では、一方の舗装版１には一端が該舗装版１の接合端面３に開口する一方の孔たる水平孔５を横設するとともに、この一方の水平孔５に結合鉄筋６を収め、他方の舗装版２には一端が舗装版２の接合端面４に開口する他方の孔たる水平孔８を横設し、これら舗装版１，２の結合端面３，４にパッキン材１０を嵌装すると共に、それら舗装版１，２の接合端面を、一方及び他方の水平孔５，８の開口部が一致するように合わせ、且つこれら一方及び他方の水平孔５，８の開口部にパッキン材１０の挿通孔１１を合わせた後、結合鉄筋６の他方側を他方の舗装版２の水平孔８内に挿入して互いに連結するコンクリート舗装版１，２の接合端面３，４間に結合鉄筋６を介在させるコンクリート舗装版１，２の結合工法において、結合鉄筋６の一端側に引張部材たるビニールテープ１２の一端を粘着テープ１３により接着した後、この連結したビニールテープ１２の一端側と共に結合鉄筋６を、一方の水平孔５に収めると共に、一方の水平孔８内において、ビニールテープ１２を結合鉄筋６の上部に配置し、ビニールテープ１２の他端側を一方の舗装版１の接合端面３に沿わせて上部に引き出し、この引き出したビニールテープ１２の他端側を一方の舗装版１の上面に沿わせた後、一方及び他方の水平孔５，８の開口部と挿通孔１１が一致するように合わせ、この後、ビニールテープ１２の他端側を引張って結合鉄筋６を他方に水平孔８に向って動かすから、ビニールテープ１２を連結した結合鉄筋６を、一方の水平孔５に収め、ビニールテープ１２の他端は接合端面３，４を突き合せる前に外部に引き出しておき、コンクリート舗装版１，２の接合端面３，４相互を突き合わせ、一方及び他方の水平孔５，８を合わせた後、ビニールテープ１２の他端を引張ると、結合鉄筋６が他方の水平孔８に向って動き、結合鉄筋６を一方及び他方の水平孔５，８に跨って配置することができる。
【００２４】
また、このように本実施例では、一方の水平孔８内において、引張部材たるビニールテープ１２を結合鉄筋６の上部に配置したから、ビニールテープ１２を引張りやすくなる。
【００２５】
また、このように本実施例では、接着手段たる粘着テープ１３によりビニールテープ１２を結合鉄筋６に連結したから、結合鉄筋６を移動した後、前記引張部材を外部に引き抜くもできる。
【実施例２】
【００２６】
図７は本発明の実施例２を示し、上記実施例１と同一部分に同一符号を付し、その詳細な説明を省略して詳述し、この例では、水平孔５，８を囲むようにして、舗装版１，２内に補強部材２１を配置している。この補強部材２１としては、輪状の鉄筋やループ上の鉄筋が例示される。
【００２７】
このように本実施例では、両方の水平孔５，８を補強部材２１により補強しているから、結合強度を確保することができる。
【００２８】
尚、本発明は、前記実施例に限定されるものではなく、種々の変形実施が可能である。例えば、引張部材は、ビニールテープ以外でも、外部で他端側を引張ることにより結合鉄筋を動かすことができるものであれば、紐や帯、あるいはチェーンなどもよい。また、結合鉄筋の材質は適宜選定可能である。
【図面の簡単な説明】
【００２９】
【図１】本発明の実施例１を示す結合鉄筋を収める前の一方の舗装版の断面図である。
【図２】同上、引張部材を連結する前の結合鉄筋の側面図である。
【図３】同上、結合鉄筋を収めた後の一方の舗装版の断面図である。
【図４】同上、結合鉄筋を動かす前の舗装版の断面図である。
【図５】同上、結合鉄筋を動かした後の舗装版の断面図である。
【図６】同上、充填材を充填した後の舗装版の断面図である。
【図７】本発明の実施例２を示す結合鉄筋を動かした後の舗装版の断面図である。
【符号の説明】
【００３０】
１  舗装版（一方の舗装版）
２  舗装版（他方の舗装版）
３  結合端面
４  結合端面
５  水平孔（一方の端面）
６  結合鉄筋
８  水平孔（他方の端面）
１０  パッキン材
１１  挿通孔
１２  ビニールテープ（引張部材）
１３  粘着テープ
２１  補強部材
【図１】
0004953167.tif 000002
【図２】
0004953167.tif 000003
【図３】
0004953167.tif 000004
【図４】
0004953167.tif 000005
【図５】
0004953167.tif 000006
【図６】
0004953167.tif 000007
【図７】
0004953167.tif 000008